(57)【要約】      （修正有）【課題】外部電磁波の遮蔽効果を改善し、高周波信号の伝送性能を向上させることができる電気コネクタを提供する。【解決手段】絶縁本体と、絶縁本体内に組み立てられた端子モジュールと、絶縁本体を被覆する内、外金属筐体６０、７０とを備える電気コネクタであって、前記絶縁本体は、上部１３と、底部１４と、上部１３と底部１４を繋がる両側部１５と、上部１３と底部１４と両側部１５との間に形成された突合せ孔１２０とを含み、前記内金属筐体６０は、絶縁本体上に套設された主体フレームを含む一体的な構造であり、前記主体フレームは、３６０度で完全に囲んだ絶縁本体であり、前記外金属筐体７０は、内金属筐体６０の外側に套設され、内金属筐体６０と接触する縦長筒状構造である。【選択図】図８
0003196314.tif 000002
【実用新案登録請求の範囲】
【請求項１】
絶縁本体と、絶縁本体内に組み立てられた端子モジュールと、絶縁本体を被覆する内、外金属筐体とを含み、前記絶縁本体は、上部と、底部と、上部と底部を繋がる両側部と、上部と底部と両側部との間に形成された突合せ孔とを含み、前記端子モジュールは、絶縁ブロックと、絶縁ブロック上に固定された複数の導電端子と含み、前記導電端子は、突合せ孔内へ延在した接触部を有する電気コネクタにおいて、
前記内金属筐体は、絶縁本体上に套設された主体フレームを含む一体的な構造であり、前記主体フレームは、３６０度で完全に囲んだ絶縁本体であり、前記外金属筐体は、内金属筐体の外側に套設され、内金属筐体と接触する縦長筒状構造である、
ことを特徴とする電気コネクタ。
【請求項２】
前記絶縁本体は、基部と、基部から前に向いて突き出した突合せ部とを含み、前記突合せ孔は突合せ部上に設けられ、前記主体フレームが基部上に被覆されている、
ことを特徴とする請求項１に記載の電気コネクタ。
【請求項３】
前記上部及び底部の外表面には、第１の凹部と第１の凹部の前方に位置する複数の開孔とがそれぞれ設けられ、前記両側部にはリミット孔がそれぞれ設けられ、前記内金属筐体は、主体フレームの上下端から前に延びる１対の遮蔽片と、主体フレームの左右端から前に延びる１対の押し当て弾性片とを含み、前記遮蔽片と押し当て弾性片とは互いに間隔されており、前記遮蔽片は、第１の凹部内に収容され、開孔から突合せ孔へ突き出した弧状の当接片を有し、前記押し当て弾性片は、側部の外表面に押し当てられ、リミット孔から突合せ孔へ突き出した弧状の押し当て片を有している、
ことを特徴とする請求項１に記載の電気コネクタ。
【請求項４】
前記遮蔽片は、前に延びる複数の弾性アームを有し、前記当接片は、弾性アームの先端に設けられ、前記弾性アームには、当接片の後方に位置する接触片が設けられ、前記弾性アームは、接触片の形成によって残された打ち抜き孔を有し、前記接触片は、側面視で「＞」状を成し、前記接触片の一端側は、打ち抜き孔の前エッジに繋がれ、他端側は上方又は下方に弾性アームから突き出して外金属筐体と接している、
ことを特徴とする請求項３に記載の電気コネクタ。
【請求項５】
前記上部及び底部には、第２の凹部と、第２の凹部と突合せ孔とを繋がる複数の端子溝とがそれぞれ設けられ、前記第２の凹部は、第１の凹部から突合せ孔の方向に窪んで形成され、前記接触部の一部は端子溝内に収容され、前記電気コネクタは、第２の凹部内に収容されて接触部と内金属筐体の接触を防止する絶縁片を備えている、
ことを特徴とする請求項３に記載の電気コネクタ。
【請求項６】
前記端子モジュールは、一緒に固定された上、下端子モジュールを備え、端子モジュールのそれぞれは、絶縁ブロックと、絶縁ブロック上に固定された複数の導電端子とを含み、導電端子のそれぞれには、前に向かって絶縁ブロックから突き出した前記接触部と、後に向かって絶縁ブロックから突き出した溶接足とが設けられ、前記基部の後端には、上、下固定孔と、上、下固定孔間に位置する水平仕切り板とが窪んで設けられ、前記上、下端子モジュールは、前に向かって対応する上、下固定孔内へそれぞれ差し込んで接続される、
ことを特徴とする請求項２に記載の電気コネクタ。
【請求項７】
前記絶縁ブロックは、階段構造を成す前段と、中間段と、後段とを有し、前記前段は、上、下固定孔内へ差し込んで接続され、前記中間段は、後に向かって絶縁本体から突き出し、前記主体フレームは中間段も被覆し、前記後段は、後に向かって主体フレームから突き出し、前に向かって主体フレームに押し当てる、
ことを特徴とする請求項６に記載の電気コネクタ。
【請求項８】
前記電気コネクタは、上、下端子モジュール間に位置する金属片を有し、前記金属片は、仕切り板内に埋設された前片体と、前片体から後に向かって絶縁本体に突き出した後片体とを含み、前記後片体は、２つの絶縁ブロックの間に挟まれ、前記後片体の左右両側には、外側に突き出した弾性片が設けられ、弾性片は、内金属筐体に当接されている、
ことを特徴とする請求項６に記載の電気コネクタ。
【請求項９】
前記電気コネクタは、ケーブルと、導電端子とケーブルを接続する内蔵回路基板とをさらに含み、前記内蔵回路基板の表面には、導電端子と溶接される金属片が設けられ、前記端子モジュールの左右両端は、後に向かって延びる上下の２対の押し当てアームを有し、前記内蔵回路基板は、２対の押し当てアーム間に挟まれている、
ことを特徴とする請求項６に記載の電気コネクタ。
【請求項１０】
前記押し当てアームの外側には、内蔵回路基板に向かっているＬ状の収容溝が設けられ、前記外金属筐体は、頂壁と、底壁と、頂壁と底壁を繋がる両側壁とを含み、前記頂壁及び底壁と両側壁の連結箇所には、後に向かって延びる２対の尾部が設けられ、前記尾部は押し当てアームをいちいちにカバーし、尾部には、一方の側縁から内側に折り曲げて収容溝内に延在する水平接地片が設けられ、接地片は内蔵回路基板における金属片と接している、
ことを特徴とする請求項６に記載の電気コネクタ。
【請求項１１】
前記電気コネクタは、USB Type-Cコネクタである、
ことを特徴とする請求項１〜請求項１０の何れか１項に記載の電気コネクタ。
【考案の詳細な説明】
【技術分野】
【０００１】
本考案は、電気コネクタに関し、特に、高周波性能を有する電気コネクタに関する。
【背景技術】
【０００２】
人間の生活リズムのスピードアップ、及び大量データの高速伝送の要求が日増しに高まっているに伴って、該当電子機器の信号伝送規格も高めなければならなく、電子機器における電気コネクタは対処できるように伝送信号の周波数を高めなければならない。高周波信号は周囲環境因子による干渉を極めて受けやすくて信号不良を招くため、高周波信号を伝送する電気コネクタの設計と製造基準もそれに伴って高まっている。
【０００３】
本考案に関する従来の技術として、中国台湾特許第Ｍ４８４８２２号に開示された電気コネクタを参照されたい。この電気コネクタは、絶縁本体と、絶縁本体内に固定された2組の導電端子と、この2組の導電端子間に位置する金属片と、絶縁本体を被覆する金属筐体とを備え、金属ハウジングは電磁気遮蔽効果を有して、電気コネクタの伝送する信号の電磁波が外部の電磁波と互いに干渉しないようにする。しかしながら、この金属筐体は一層の電磁気屏遮蔽構造であり、外部の電磁波に対する遮蔽効果は完全でなく、金属筐体の構造強度は少し低くて、電気コネクタの高周波信号伝送性能を低下させ、電気コネクタの使用寿命を縮めている。
【考案の概要】
【考案が解決しようとする課題】
【０００４】
従って、上記技術課題を解決するために、新規な電気コネクタを設計する必要がある。
【０００５】
本考案は、高周波性能を改善した電気コネクタを提供することを目的とする。
【課題を解決するための手段】
【０００６】
本考案は、上記目的を実現するために、以下のような手段を用いた。
絶縁本体と、絶縁本体内に組み立てられた端子モジュールと、絶縁本体を被覆する内、外金属筐体とを備え、前記絶縁本体は、上部と、底部と、上部と底部を繋がる両側部と、上部と底部と両側部との間に形成された突合せ孔とを含み、前記端子モジュールは、絶縁ブロックと、絶縁ブロック上に固定された複数の導電端子と含み、前記導電端子は、突合せ孔内へ延在した接触部を有する電気コネクタにおいて、前記内金属筐体は、絶縁本体上に套設された主体フレームを含む一体的な構造であり、前記主体フレームは、３６０度で完全に囲んだ絶縁本体であり、前記外金属筐体は、内金属筐体の外側に套設され、内金属筐体と接触する縦長筒状構造である。
【０００７】
本考案のさらなる改良として、前記絶縁本体は、基部と、基部から前に向いて突き出した突合せ部とを備え、前記突合せ孔は突合せ部上に設けられ、前記主体フレームが基部上に被覆されている。
【０００８】
本考案のさらなる改良として、前記上部及び底部の外表面には、第１の凹部と第１の凹部の前方に位置する複数の開孔とがそれぞれ設けられ、前記両側部にはリミット孔がそれぞれ設けられ、前記内金属筐体は、主体フレームの上下端から前に延びる１対の遮蔽片と、主体フレームの左右端から前に延びる１対の押し当て弾性片とを備え、前記遮蔽片と押し当て弾性片とは互いに間隔されており、前記遮蔽片は、第１の凹部内に収容され、開孔から突合せ孔へ突き出した弧状の当接片を有し、前記押し当て弾性片は、側部の外表面に押し当てられ、リミット孔から突合せ孔へ突き出した弧状の押し当て片を有している。
【０００９】
本考案のさらなる改良として、前記遮蔽片は、前に延びる複数の弾性アームを有し、前記当接片は、弾性アームの先端に設けられ、前記弾性アームには、当接片の後方に位置する接触片が設けられ、前記弾性アームは、接触片の形成によって残された打ち抜き孔を有し、前記接触片は、側面視で「＞」状を成し、前記接触片の一端側は、打ち抜き孔の前エッジに繋がれ、他端側は上方又は下方に弾性アームから突き出して外金属筐体と接している。
【００１０】
本考案のさらなる改良として、前記上部及び底部には、第２の凹部と、第２の凹部と突合せ孔とを繋がる複数の端子溝とがそれぞれ設けられ、前記第２の凹部は、第１の凹部から突合せ孔の方向に窪んで形成され、前記接触部の一部は端子溝内に収容され、前記電気コネクタは、第２の凹部内に収容されて接触部と内金属筐体の接触を防止する絶縁片を備えている。
【００１１】
本考案のさらなる改良として、前記端子モジュールは、一緒に固定された上、下端子モジュールを備え、端子モジュールのそれぞれは、絶縁ブロックと、絶縁ブロック上に固定された複数の導電端子とを含み、導電端子のそれぞれには、前に向かって絶縁ブロックから突き出した前記接触部と、後に向かって絶縁ブロックから突き出した溶接足とが設けられ、前記基部の後端には、上、下固定孔と、上、下固定孔間に位置する水平仕切り板とが窪んで設けられ、前記上、下端子モジュールは、前に向かって対応する上、下固定孔内へそれぞれ差し込んで接続される。
【００１２】
本考案のさらなる改良として、前記絶縁ブロックは、階段構造を成す前段と、中間段と、後段とを有し、前記前段は、上、下固定孔内へ差し込んで接続され、前記中間段は、後に向かって絶縁本体から突き出し、前記主体フレームは中間段も被覆し、前記後段は、後に向かって主体フレームから突き出し、前に向かって主体フレームに押し当てる。
【００１３】
本考案のさらなる改良として、前記電気コネクタは、上、下端子モジュール間に位置する金属片を有し、前記金属片は、仕切り板内に埋設された前片体と、前片体から後に向かって絶縁本体に突き出した後片体とを含み、前記後片体は、２つの絶縁ブロックの間に挟まれ、前記後片体の左右両側には、外側に突き出した弾性片が設けられ、弾性片は、内金属筐体に当接されている。
【００１４】
本考案のさらなる改良として、前記電気コネクタは、ケーブルと、導電端子とケーブルを接続する内蔵回路基板とをさらに備え、前記内蔵回路基板の表面には、導電端子と溶接される金属片が設けられ、前記端子モジュールの左右両端は、後に向かって延びる上下の２対の押し当てアームを有し、前記内蔵回路基板は、２対の押し当てアーム間に挟まれている。
【００１５】
本考案のさらなる改良として、前記押し当てアームの外側には、内蔵回路基板に向かっているＬ状の収容溝が設けられ、前記外金属筐体は、頂壁と、底壁と、頂壁と底壁を繋がる両側壁とを含み、前記頂壁及び底壁と両側壁の連結箇所には、後に向かって延びる２対の尾部が設けられ、前記尾部は押し当てアームをいちいちにカバーし、尾部には、一方の側縁から内側に折り曲げて収容溝内に延在する水平接地片が設けられ、接地片は内蔵回路基板における金属片と接している。
【００１６】
本考案の電気コネクタの内金属筐体は、絶縁本体上に套設された主体フレームを含む一体的な構造であり、前記主体フレームは、３６０度で完全に囲んだ絶縁本体であり、前記外金属筐体は、内金属筐体の外側に套設され、内金属筐体と接触する縦長筒状構造であり、電気コネクタは、内、外金属筐体からなる２層電磁気屏遮蔽構造を有して、外部電磁波の遮蔽効果を改善し、電気コネクタの高周波信号伝送性能を向上すると共に、電気コネクタの整体構造の強度を大幅に強くし、電気コネクタの使用寿命を長くする。
【図面の簡単な説明】
【００１７】
【図１】本考案に係る電気コネクタの斜視図である。
【図２】本考案に係る電気コネクタの別の角度の斜視図である。
【図３】本考案に係る電気コネクタの前面図である。
【図４】本考案に係る電気コネクタの絶縁本体と、外金属筐体と、内蔵回路基板とを分離した立体分解図であり、絶縁本体と内金属筐体との嵌め合いを示している。
【図５】本考案に係る電気コネクタの絶縁本体と、端子モジュールと、外金属筐体とを分離した立体分解図であり、内蔵回路基板と金属片との嵌め合いを示している。
【図６】本考案に係る電気コネクタの絶縁本体の立体模式図である。
【図７】本考案に係る電気コネクタの絶縁本体と、内、外金属筐体と、内蔵回路基板とを分離した立体分解図であり、絶縁本体と、端子モジュールとの嵌め合いを示している。
【図８】本考案に係る電気コネクタの立体分解図である。
【図９】本考案に係る電気コネクタの別の角度の立体分解図である。
【考案を実施するための形態】
【００１８】
図１から図９に示すように、本考案に係る電気コネクタ１００は、高周波信号伝送を支えるUSB Type-Cコネクタであり、絶縁本体１０と、金属片２０と、２つの端子モジュール３０と、２つの絶縁片４０と、内蔵回路基板５０と、内金属筐体６０と、外金属筐体７０と、ケーブル(図示せず)とを備えている。端子モジュール２０は前に向かって絶縁本体１０内に組み立てられ、内蔵回路基板５０はケーブルに溶接されて、ケーブルと端子モジュール３０とを電気的に接続させ、内金属筐体６０は、絶縁本体１０と端子モジュール３０上に套設され、外金属筐体７０は、内金属筐体６０と端子モジュール３０上に套設されている。
【００１９】
絶縁本体１０は、基部１１と、基部１１から前に向かって突き出した突合せ部１２とを備えると共に、上部１３と、底部１４と、上部１３と底部１４を繋がる対向する両側部１５とをさらに備えている。突合せ部１２には、上部１３と、底部１４と、両側部１５との間に形成された、突合せコネクタ(図示せず)を収容するための突合せ孔１２０が設けられ、突合せ孔１２０は上下に対称している。上部１３及び底部１４の表面には、第１の凹部１３１と、第２の凹部１３２と、複数の係止ブロック１３３とがそれぞれ設けられ、第２の凹部１３２は、第１の凹部１３１から突合せ孔１２０の方向へさらに窪んで形成されている。
【００２０】
上部１３及び底部１４には、貫いた複数の開孔１３４と、端子溝１３５とそれぞれが設けられ、開孔１３４は第１の凹部１３１とそれぞれ貫通され、端子溝１３５は第２の凹部１３２とそれぞれ貫通されている。上部１３及び底部１４における開孔１３４のそれぞれは、左右方向に沿って１列に配列され、上部１３及び底部１４における端子溝１３５のそれぞれも、左右方向に沿って１列に配列され、開孔１３４は端子溝１３５の前方に位置しており、且つ前後に間隔を置いている。上部１３及び底部１４には、第１の凹部１３１内に位置する係止ブロック１３６がさらに設けられ、係止ブロック１３６は、後に向かっている斜面を有し、端子溝１３５の後方に位置している。両側部１５には、貫くリミット孔１５１がそれぞれ設けられ、開孔１３４と、端子溝１３５と、リミット孔１５１とがいずれも突合せ孔１２０と貫通している。
【００２１】
基部１１の後端には、上、下固定孔１１１、１１２と、上、下固定孔１１１、１１２を仕切る水平仕切り板１１３とが設けられ、上、下固定孔１１１、１１２は、同時に上部１３と、底部１４と、両側部１５との間に形成されている。基部１１には、突合せ孔１２０と上、下固定孔１１１、１１２との間に位置する間隔壁１１４がさらに設けられ、間隔壁１１４には、突合せ孔１２０と上、下固定孔１１１、１１２とを繋がる上下両列溝路１１５が設けられている。上部１３及び底部１４には、さらに、上、下固定孔１１１、１１２と貫通される複数の係合孔１３８がそれぞれ設けられている。
【００２２】
金属片２０は、水平板状構造であり、絶縁本体１０の仕切り板１１３内に埋設した前片体２１と、後に向かって絶縁本体１０から突出した後片体２２とを備え、後片体２２の左右両側には、外側に突出した弾性片２３が設けられ、後片体２２の後端には、四角形の切り口２４がさらに設けられている。
【００２３】
端子モジュール３０は、一緒に固定された上、下端子モジュール３１、３２を備え、端子モジュール３０のそれぞれは、絶縁ブロック３３と、絶縁ブロック３３上に固定された複数の導電端子３４とを含み、絶縁ブロック３３は、前段３３１と、中間段３３２と、後段３３３と、後段３３３の左右両端から後に突き出した１対の押し当てアーム３３４とを備え、前段３３１、中間段３３２、後段３３３の三者は階段構造を成している。前段３３１及び中間段３３２の外表面には、複数の係合ブロック３３５が設けられている。押し当てアーム３３４の外側には、内蔵回路基板５０に向かっているＬ状の収容溝３３６が設けられている。
【００２４】
導電端子３４のそれぞれは、絶縁ブロック３３内に埋設けた固定部(図示せず)と、固定部から前に向かって前段３３１から突き出した弧状接触部３４１と、固定部から後に向かって後段３３３から突き出した溶接足３４２とを備え、溶接足３４２は押し当てアーム３３４間に位置し、各端子モジュール３０の接触部３４１、溶接足３４２のそれぞれは左右方向に沿って１列に配列され、上、下端子モジュール３１の接触部３４１、溶接足３４２はいちいちに上下に揃え、両端子モジュール３０の導電端子３４の配列順次は、電気コネクタ１００の正逆差し込みを支えるように逆になっている。
【００２５】
上、下端子モジュール３１、３２の絶縁ブロック３３の前段３３１は、前に向かって絶縁本体１０の上、下固定孔１１１、１１２内に差し込んで接続され、中間段３３２後に向かって絶縁本体１０から突出され、接触部３４１は、溝路１１５を介して突合せ孔１２０内に入り込み、且つ一部は端子溝１３５内に入り込み、金属片２０の後片体２２は、端子モジュール３０の両絶縁ブロック３３間に挟まれて、金属片２０を上端子モジュール３１と下端子モジュール３２の導電端子３４間に位置させ、上、下端子モジュール３１、３２間の信号干渉を低下させ、弾性片２３は端子モジュール３０から外側へ突出されて内金属筐体６０に当接し、接地回路を形成する。
【００２６】
両絶縁片４０はいちいちに絶縁本体１０の第２の凹部１３２内に収容され、端子溝１３５の外部をカバーし、導電端子３４の接触部３４１の移動範囲を制限している。
【００２７】
内蔵回路基板５０の前部の上下表面には、１列の金属片(図示せず)と、前に向かって突出した突出部５１とが設けられ、内蔵回路基板５０の後部はケーブルと溶接するためのものであり、導電端子３４の溶接足３４２は、金属片といちいちに溶接され、突出部５１は、金属片２０の切り口２４内に入り込み、端子モジュール３０の両絶縁ブロック３３間に挟まれ、両絶縁ブロック３３には、突出部５１を収容する凹溝３５がそれぞれ設けられ、内蔵回路基板５０は、両絶縁ブロック３３の押し当てアーム３３４間に挟まれ、内蔵回路基板５０は同時に収容溝３３６をカバーしている。
【００２８】
内金属筐体６０は、一体的な構造であり、構造の強度が高く、筒状の主体フレーム６１と、主体フレーム６１の上下端から前に向かって延びる１対の遮蔽片６２と、主体フレーム６１の左右端から前に向かって延びる１対の押し当て弾性片６３とを備え、前後方向から見ると、主体フレーム６１は楕円形であり、遮蔽片６２は、押し当て弾性片６３と間隔され、主体フレーム６１及び遮蔽片６２には、複数の係止孔６１１、６２１と、外側に突出さた片持ちレバー６１２、６２２とがそれぞれ設けられ、遮蔽片６２は、前に向かって延びる複数の弾性アーム６２３を有し、弾性アーム６２３は、弧状の当接片６２４と、当接片６２４の後方に位置する接触片６２５とを設け、弾性アーム６２３は、接触片６２５の形成によって残された打ち抜き孔６２６を有し、側面視において、接触片６２５は「＞」状であり、接触片６２５の一端側は打ち抜き孔６２６の前エッジと繋がれ、他端側は、上又は下に弾性アーム６２３から突出されている。押し当て弾性片６３は、内側に突出した弧状の押し当て片６３１を有している。
【００２９】
主体フレーム６１は、絶縁本体１０の基部１１及び端子モジュール３０の絶縁ブロック３３の中間段３３２に套設けられ、中間段３３２の外表面の係合ブロック３３５は、主体フレーム６１の係止孔６１１内に係止され、後段３３３は、後に向かって主体フレーム６１から突出され、前に向かって主体フレーム６１に当接され、主体フレーム６１の後向きの移動を共通に制限し、金属片２０の弾性片２３は、金属片２０と内金属筐体６０とが接地回路を形成するように主体フレーム６１に押し当てられている。
【００３０】
遮蔽片６２は、絶縁本体１０の第１の凹部１３２内に収容されると共に、絶縁片４０にカバーされ、絶縁片４０は、導電端子３４の接触部３４１と遮蔽片６２との接触を阻止でき、絶縁本体１０における係止ブロック１３３は、遮蔽片６２の係止孔６１１内に係止され、当接片６２４は、突合せコネクタと接触するために、開孔１３４から突合せ孔１２０内に入り込み、押し当て弾性片６３は、絶縁本体１０の側部１５の外表面に押し当てられ、押し当て片６３１も、突合せコネクタと接触するために、リミット孔１５１から突合せ孔１２０内に入り込む。内金属筐体６０は、組み立てやすく、簡単で、生産コストを低減し、且つ、絶縁本体１０を端子モジュール３０に確実に結合させることができ、電気コネクタ１００の構造の強度を向上している。
【００３１】
外金属筐体７０は、縦長筒状構造であり、頂壁７１と、底壁７２と、頂壁７１と底壁７２を繋がる両側壁７３とを備え、外金属筐体７０は、内端子モジュール３０の後段３３３と内金属筐体６０に被覆され、内金属筐体６０における接触片６２５と、片持ちレバー６１２、６２２とは、金属筐体６０とそれぞれ接触されている。頂壁７１及び底壁７２と両側壁７３の接続箇所には、後に延びる２対の尾部７４が設けられ、尾部７４は、いちいちに端子モジュール３０押し当てアーム３３４にカバーされ、尾部７４の側縁は、内側に折り曲げて収容溝３３６内に延びる水平接地片７５を有し、接地片７５と内蔵回路基板５０における金属片とが接触し、両者が接地回路を形成している。以上により、金属片２０と、内蔵回路基板５０と、内金属筐体６０と、外金属筐体７０と、ケーブル間は、電気的に接続され、電気コネクタ１００が良好な接地効果を有するように、全体の接地回路を形成している。
【００３２】
本考案に係る電気コネクタ１００は、内、外金属筐体６０、７０を設け、２層の電磁気屏遮蔽構造を構成し、且つ遮蔽構造が３６０度で完全に囲んでいるため、外部電磁波の遮蔽効果を改善し、電気コネクタ１００の高周波信号の伝送性能を向上すると共に、電気コネクタ１００の整体構造強度を大幅に強くし、電気コネクタ１００の使用寿命を長くする。
【００３３】
以上、例示するために、本考案の好ましい実施の形態を開示したが、当業者であれば、添付する特許請求の範囲に開示された本考案の範囲及び要旨を逸脱しない限り、種々の改良、増加及び取替が可能であることをよく分かろう。
【図１】
0003196314.tif 000003
【図２】
0003196314.tif 000004
【図３】
0003196314.tif 000005
【図４】
0003196314.tif 000006
【図５】
0003196314.tif 000007
【図６】
0003196314.tif 000008
【図７】
0003196314.tif 000009
【図８】
0003196314.tif 000010
【図９】
0003196314.tif 000011
【手続補正書】
【提出日】平成26年12月17日(2014.12.17)
【手続補正１】
【補正対象書類名】実用新案登録請求の範囲
【補正対象項目名】請求項１０
【補正方法】変更
【補正の内容】
【請求項１０】
前記押し当てアームの外側には、内蔵回路基板に向かっているＬ状の収容溝が設けられ、前記外金属筐体は、頂壁と、底壁と、頂壁と底壁を繋がる両側壁とを含み、前記頂壁及び底壁と両側壁の連結箇所には、後に向かって延びる２対の尾部が設けられ、前記尾部は押し当てアームをいちいちにカバーし、尾部には、一方の側縁から内側に折り曲げて収容溝内に延在する水平接地片が設けられ、接地片は内蔵回路基板における金属片と接している、
ことを特徴とする請求項９に記載の電気コネクタ。